(57)【要約】【課題】車両の重量が増大するのを防止しつつ、簡単な構成で車両用部材を効率よく配設できるようにする。【解決手段】車室の底面を形成するフロアパネル２の上方に少なくとも運転席シートと助手席シート４とが車幅方向に並設された車両において、運転席シートの下方には、運転席シートを車両の前後方向に移動可能に支持するシートレールがフロアパネル上に設置されるとともに、助手席シート４の下方には、フロアパネル２を上方に膨出させたフロア膨出部９が形成され、このフロア膨出部９に助手席シート４が取り付けられるとともに、このフロア膨出部９に収納部３３が設けられた。【選択図】図４
2011143783.tif 000002
【特許請求の範囲】
【請求項１】
車室の底面を形成するフロアパネルの上方に少なくとも運転席シートと助手席シートとが車幅方向に並設された車両の下部車体構造であって、運転席シートの下方には、運転席シートを車両の前後方向に移動可能に支持するシートレールがフロアパネル上に設置され、かつ助手席シートの下方には、フロアパネルを上方に膨出させたフロア膨出部が形成され、このフロア膨出部に助手席シートが取り付けられるとともに、このフロア膨出部に収納部が設けられたことを特徴とする車両の下部車体構造。
【請求項２】
上記フロア膨出部の一部を下方に凹入させることにより物品の収納部が形成されたことを特徴とする請求項１に記載の車両の下部車体構造。
【請求項３】
助手席シートのシートクッションが、上記収納部の上面を開閉可能に覆うように設置されたことを特徴とする請求項２に記載の車両の下部車体構造。
【請求項４】
上記フロア膨出部の下方に、車両用補機の収納部が設けられたことを特徴とする請求項１〜３の何れか１項に記載の車両の下部車体構造。
【請求項５】
上記フロア膨出部の下方に、エンジンの排気系部材からなる車両用補機が収納されたことを特徴とする請求項４に記載の車両の下部車体構造。
【請求項６】
上記フロア膨出部の下方に配設された排気系部材が、助手席に着座した乗員の暖房用具として利用されるように構成されたことを特徴とする請求項５に記載の車両の下部車体構造。
【請求項７】
上記フロア膨出部の下方に、エンジンの排気系に設けられた排気浄化触媒が配設されたことを特徴とする請求項５または６に記載の車両の下部車体構造。
【請求項８】
助手席シートが、上記シートレールにより前後移動可能に支持された運転席シートの最後方部位に対応した位置に固定されたことを特徴とする請求項１〜７の何れか１項に記載の車両の下部車体構造。
【請求項９】
上記フロア膨出部の下方に、車載バッテリまたは電力貯蔵用キャパシタが収納されたことを特徴とする請求項４に記載の車両の下部車体構造。
【発明の詳細な説明】
【技術分野】
【０００１】
本発明は、車室の底面を形成するフロアパネルの上方に少なくとも運転席シートと助手席シートとが車幅方向に並設された車両の下部車体構造に関するものである。
【背景技術】
【０００２】
従来、下記特許文献１に示されるように、フロアパネル上に運転席および助手席が設置された所謂ツーシータタイプで屋根が開放されるように構成されたオープンカー等において、上記運転席および助手席の後方に、開閉式屋根である幌の格納部を設けるとともに、その下方に位置するキックアップパネルおよびクロスメンバの後側に燃料タンクを設置することが行われている。
【０００３】
また、下記特許文献２に示されるように、フロアパネル上に運転席および助手席が設置された所謂ツーシータタイプのスポーツカーにおいて、ダッシュパネルの凹部内に駆動装置を配設し、該駆動装置の側方のダッシュパネルの前方にバッテリを配設し、バッテリ前端位置を駆動装置よりも前方に位置させることで、駆動装置とバッテリとの両者を後方配置し、これによりヨー慣性モーメントの低減を図って、操縦安定性および車両の運動性能の向上を図り、しかも衝突荷重をバッテリで受け止めて、衝突時に駆動装置の後退量を減少させて、安全性を向上させることが行われている。
【先行技術文献】
【特許文献】
【０００４】
【特許文献１】特開２００６−０２１６０７号公報
【特許文献２】特開２００５−２８９１１号公報
【発明の概要】
【発明が解決しようとする課題】
【０００５】
上記ツーシータタイプのスポーツカー等においては、車体をコンパクト化することが特に望まれ、車載バッテリ等からなる車両用補機や物品の収納スペース等を確保することが重要な課題であった。上記特許文献１，２に開示された車両では、車両用補機の設置スペースや物品等の収納スペースを確保するために様々な工夫が凝らされているが、車体をコンパクト化しつつ、車両用補機の設置スペースや物品等の収納スペースをさらに効果的に確保することが望まれている。
【０００６】
本発明は、上記の問題点に鑑みてなされたものであり、車体を効果的にコンパクト化してコストダウンを図りつつ、物品等の収納スペースを充分に確保できる車両の下部車体構造を提供することを目的としている。
【課題を解決するための手段】
【０００７】
請求項１に係る発明は、車室の底面を形成するフロアパネルの上方に少なくとも運転席シートと助手席シートとが車幅方向に並設された車両の下部車体構造であって、運転席シートの下方には、運転席シートを車両の前後方向に移動可能に支持するシートレールがフロアパネル上に設置され、かつ助手席シートの下方には、フロアパネルを上方に膨出させたフロア膨出部が形成され、このフロア膨出部に助手席シートが取り付けられるとともに、このフロア膨出部に収納部が設けられたものである。
【０００８】
請求項２に係る発明は、上記請求項１に記載の車両の下部車体構造において、上記フロア膨出部の一部を下方に凹入させることにより物品の収納部が形成されたものである。
【０００９】
請求項３に係る発明は、上記請求項２に記載の車両の下部車体構造において、助手席シートのシートクッションが、上記収納部の上面を開閉可能に覆うように設置されたものである。
【００１０】
請求項４に係る発明は、上記請求項１〜３の何れか１項に記載の車両の下部車体構造において、上記フロア膨出部の下方に、車両用補機の収納部が設けられたものである。
【００１１】
請求項５に係る発明は、上記請求項４に記載の車両の下部車体構造において、上記フロア膨出部の下方に、エンジンの排気系部材からなる車両用補機が収納されたものである。
【００１２】
請求項６に係る発明は、上記請求項５に記載の車両の下部車体構造において、上記フロア膨出部の下方に配設された排気系部材が、助手席に着座した乗員の暖房用具として利用されるように構成されたものである。
【００１３】
請求項７に係る発明は、上記請求項５または６に記載の車両の下部車体構造において、上記フロア膨出部の下方に、エンジンの排気系に設けられた排気浄化触媒が配設されたものである。
【００１４】
請求項８に係る発明は、上記請求項１〜７の何れか１項に記載の車両の下部車体構造において、助手席シートが、上記シートレールにより前後移動可能に支持された運転席シートの最後方部位に対応した位置に固定されたものである。
【００１５】
請求項９に係る発明は、上記請求項４に記載の車両の下部車体構造において、上記フロア膨出部の下方に、車載バッテリまたは電力貯蔵用キャパシタが収納されたものである。
【発明の効果】
【００１６】
請求項１に係る発明では、運転席シートの下方に、運転席シートを車両の前後方向に移動可能に支持するシートレールをフロアパネル上に設置し、かつ助手席シートの下方には、フロアパネルを上方に膨出させたフロア膨出部を形成し、このフロア膨出部に助手席シートを取り付けるとともに、このフロア膨出部に収納部を設けたため、車体を効果的にコンパクト化してコストダウンを図りつつ、物品等の収納スペースを充分に確保することができるという利点がある。
【００１７】
請求項２に係る発明では、上記フロア膨出部の一部を下方に凹入させることにより物品の収納部を形成したため、車体をコンパクト化することが特に望まれるツーシータタイプのスポーツカー等においても、上記助手席シートの下方部に形成された空間部を有効に利用して物品の収納ペースを充分に確保できるという利点がある。
【００１８】
請求項３に係る発明では、上記収納部の上面を助手席シートのシートクッションにより開閉可能に覆うように構成したため、上記収納部内に収納された物品等を助手席シートのシートクッションで隠蔽して優れた盗難予防機能が得られるとともに、上記シートクッションを揺動変位させて収納部の上面を開放状態とすることにより、この収納部に対する物品の出し入れを容易に行うことができる。
【００１９】
請求項４に係る発明では、フロア膨出部の下方に車両用補機の収納部を設けたため、助手席シートの下方部に形成された空間部を有効に利用して上記車両用補機を適正に設置できるという利点がある。
【００２０】
請求項５に係る発明では、上記フロア膨出部の下方に、エンジンの排気通路等からなる排気系部材を収納するように構成したため、助手席シートの下方部に形成された空間部を有効に利用して上記排気通路を適正に配管できる等の利点がある。
【００２１】
請求項６に係る発明では、上記フロア膨出部の下方に配設された排気系部材を、助手席に着座した乗員の暖房用具として利用するように構成したため、エンジンから排出される排気ガスの熱を有効に利用して助手席シートを下方から暖房することにより、乗員の居住性を効果的に向上できるという利点がある。
【００２２】
請求項７に係る発明では、上記フロア膨出部の下方に形成された空間部を利用して大容量の排気浄化触媒を効率よく配置できるという利点がある。
【００２３】
請求項８に係る発明では、シートレールにより前後移動可能に支持された運転席シートの最後方部位に対応した位置に助手席シートを固定するように構成したため、この乗員が着座した助手席シートからなる重量物を車両の中心寄りの位置に配設することにより、車両の運転性能を効果的に向上させることができるとともに、助手席シートの前方側に設けられるスペースを最大限に広くすることができ、小柄な体格の乗員が助手席シートに着座した場合は勿論のこと、大柄な体格の乗員が助手席シートに着座した場合においても、その前方側に広いスペースを確保して良好な居住性が得られるという利点がある。
【００２４】
請求項９に係る発明では、上記フロア膨出部の下方に車載バッテリまたは電力貯蔵用キャパシタを収納するように構成したため、上記フロア膨出部の下方に形成された空間部を利用して大容量または複数個の車載バッテリ等を効果的に設置できるという利点がある。
【図面の簡単な説明】
【００２５】
【図１】本発明に係る車両の下部車体構造を備えた車両の概略構成を示す平面図である。
【図２】運転席シートおよび助手席シートの設置状態を示す正面断面図である。
【図３】運転席シートの設置状態を示す側面断面図である。
【図４】助手席シートの設置状態を示す側面断面図である。
【図５】運転席シートを前方に移動させた状態を示す平面図である。
【図６】本発明に係る車両の下部車体構造の別の実施形態を示す平面図である。
【図７】助手席シートの下方に排気系部材を配設した状態を示す側面断面図である。
【図８】本発明に係る車両の下部車体構造のさらに別の実施形態を示す平面図である。
【図９】本発明に係る車両の下部車体構造のさらに別の実施形態を示す側面断面図である。
【発明を実施するための形態】
【００２６】
図１〜図５は、本発明に係る車両の下部車体構造の実施形態を示している。本実施形態に係る車両は、その車室１内のフロアパネル２上に運転席シート３および助手席シート４が左右に並設されるとともに、車室上方にルーフ部材（図示せず）が開閉可能に設置された所謂ツーシータタイプのオープンカーである。上記フロアパネル２の左右両側方部には、車両の前後方向に延びる左右一対のサイドシル５が配設されるとともに、上記フロアパネル２の車幅方向中央部には、車室内側（上方）に向けて突出するトンネル部６が車両の前後方向に延びるように設置されている。
【００２７】
上記車室１内の左側部位には、運転席シート３を移動可能に支持する左右一対のシートレール８が車両の前後方向に延びるように設置されている。また、車室１内の左側部位には、フロアパネル２を上方に膨出させたフロア膨出部９が形成され、その上に助手席シート４が取り付けられている。そして、上記運転席シート３および助手席シート４の設置部の後方側には、斜め上方に向けてキックアップしたキックアップ部１０と、その上端部から車両の後方側に延びるリヤフロアパネル１１とが連設されている。また、上記リヤフロアパネル１１の前部下面には、車幅方向に延びる閉断面を形成するリヤクロスメンバ１２が配設されている。
【００２８】
上記運転席シート３は、図３に示すように、車室１内のフロアパネル２上に設置された上記シートレール８に沿って車両の前後方向にスライド可能に支持されたシートクッション１３と、その後端部に立設されたシートバック１４と、上記シートクッション１３の後端部側面に取り付けられてシートバック１４を傾動可能に支持するリクライニング機構１５とを備えている。そして、上記シートレール８に沿って運転席シート３のシートクッション１３をスライド変位させることにより、図５に示すように、運転席シート３を、ステアリングホイール１６およびインストルメントパネル１７に近接させた最前方位置から、図１および図３に示すように、上記フロアパネル２のキックアップ部１０に近接させた最後方位置まで前後移動させることにより、運転席シート３に着座した運転者の着座位置を、その体格等に応じて調整できるように構成されている。
【００２９】
一方、助手席シート４は、図４に示すように、上記フロア膨出部９上に載置されたシートクッション１８と、このシートクッション１８の後方部から上方に立設されたシートバック１９と有している。そして、上記助手席シート４の設置位置は、上記運転席シート３の最前方位置よりも後方側、具体的には、上記シートレール８により前後移動可能に支持された運転席シート３の最後方位置に対応した車室１の後方部位に設定されている。このように助手席シート４のシートクッション１８およびシートバック１９が、上記フロアパネル２の後端部に設けられたキックアップ部１０に近接した位置に支持されることにより、上記シートクッション１８の前後移動が規制されるとともに、上記シートバック１９の傾動変位が規制された状態で、上記シートレール８により前後移動可能に支持された運転席シート３の最前方位置よりも後方側において、上記助手席シート４が車体に固定的に設置されている。
【００３０】
また、上記助手席シート４のシートバック１９には、丸パイプ材等からなるシートバックフレーム２４が配設されている。このシートバックフレーム２４は、シートバック１９の上辺部に沿って車幅方向に延びる上方部材２５と、その車幅方向の外側端部から下方に延びる側方部材２６と、上記上方部材２５を支持する棒状部材２７とを有している。上記シートバックフレーム２４の側方部材２６は、その下端部に設けられた取付ブラケット２８を介して上記フロア膨出部９の後部上面にボルト止めされる等の手段で固定されている。
【００３１】
上記シートバックフレーム２４の棒状部材２７は、図２に示すように、正面視で運転席シート３と助手席シート４との間において上下方向に延びるように設置された縦部材２９と、その上端部から斜めシートバック１９の中央部に向けて斜め下方に延びる斜め部材３０とを有している。上記縦部材２９は、その下端部に設けられた取付ブラケット３１が、上記リヤクロスメンバ１２により補強されたリヤフロアパネル１１の前端部上面にボルト止めされる等の手段で固定されている。さらに、上記取付ブラケット３１が設けられた縦部材２９の下端部前方に位置するキックアップ部１０の中央部には、上記トンネル部６の上面に沿って車両の前後方向に延びるように設置された左右一対のトンネルメンバ３２，３２の後端部が接続されている。
【００３２】
上記斜め部材３０の下部は、助手席シート４のシートバック１９内に導入されてシートバックフレーム２４の上方部材２５に溶接されている。一方、上記上方部材２５は、その車幅方向の内側方部がシートバック１９外に導出されるとともに、その先端部が上記棒状部材２７の縦部材２９の上下方向中間部に溶接されている。そして、上記縦部材２９の上方部分および斜め部材３０からなる棒状部材２７の上部が、助手席シート４の上方に延びるように設置されることにより、助手席シート４に着座した乗員を保護するロールバー部材が構成されている。
【００３３】
上記助手席シート４の下方に位置するフロア膨出部９には、その一部、具体的には周縁部を除く中央部分を下方に凹入させることにより物品の収納部３３が形成されている。そして、助手席シート４のシートクッション１８が上記収納部３３の上面を覆うように設置されている。また、上記助手席シート４のシートクッション１８は、その前端部に設けられたヒンジ部３４を支点にして揺動可能に支持され、必要に応じて図４の仮想線で示すように、上記収納部３３の上面を開放し得るように構成されている。
【００３４】
上記運転席シート３および助手席シート４の前方には、図３および図４に示すように、車室１と、その前方に位置するエンジンルームとを区画するダッシュパネル３５が車幅方向に延びるように設置されるとともに、このダッシュパネル３５の上方には、フロントウインド３６の下端部を支持するカウル部材３７が車幅方向に延びように設置されている。そして、上記助手席シート４の前方に位置するカウル部材３７の下方であって上記ダッシュパネル３５とインストルメントパネル１７との間には、ブロアおよび熱交換器等を有する空調ユニット３８が配設されている（図４参照）。
【００３５】
すなわち、上記のように助手席シート４の設置位置を、運転席シート３の最前方位置よりも後方側、例えば上記シートレール８により前後移動可能に支持された運転席シート３の最後方位置に対応した車室１の後方部位に設定した場合には、助手席シート４の前方側に広いスペースを確保することができる。このため、上記助手席シート４に着座した乗員の居住性を悪化させることなく、その前方側に位置するインストルメントパネル１７を後方側へ突出させることにより、助手席シート４の前方部に上記空調ユニット３８を設置するためのスペースを確保することが可能である。
【００３６】
なお、図４において、符号３９は、カウル部材３７および空調ユニット３８の車内側面（後面）を覆うように設置された上記インストルメントパネル１７等を支持するインパネメンバであり、符号４０は、空調ユニット３８から供給された空調用エアを必要個所に供給する空調用ダクトである。また、符号４１は、車両の衝突時に展開して助手席シート４に着座した乗員を保護する助手席用エアバッグである。
【００３７】
上記空調ユニット３８の設置部側方に形成された空間部、つまり運転席シート３と助手席シート４との間において車両の前後方向に延びるトンネル部６の前部上面には、図３に示すように、シフトレバー４２からなる車両用操作部材が、ステアリングホイール１６の側方位置に設置されている。また、上記シフトレバー４２の前方側に位置するインストルメントパネル１７の車幅方向中央部には、その下方部分を前方側に凹入させた凹入部４３が形成され、これによってシフトレバー４２の操作時にインストルメントパネル１７が邪魔にならないように構成されている。
【００３８】
上記のように車室の底面を形成するフロアパネル２の上方に運転席シート３と助手席シート４とが車幅方向に並設された車両の下部車体構造において、運転席シート３の下方に、運転席シート３を車両の前後方向に移動可能に支持するシートレール８をフロアパネル２からなるフロアパネル上に設置し、かつ助手席シート４の下方に、フロアパネル２を上方に膨出させたからなるフロア膨出部９を形成し、このフロア膨出部９に助手席シート４を取り付けるとともに、このフロア膨出部９に収納部３３を設けたため、車体を効果的にコンパクト化してコストダウンを図りつつ、物品等の収納スペースを充分に確保することができる。
【００３９】
すなわち、上記実施形態では、助手席シート４を車室１の後方部において固定したため、この助手席シート４用のシートレールを省略してその分だけ車体を軽量化することができるとともに、材料費を節約して製造コストを安価に抑制することができる。また、上記助手席シート４をシートレールにより前後移動可能に支持した場合のように、助手席シート４を前後移動させる際に車体との干渉を回避するために助手席シート４のレイアウトを工夫する必要がないという利点がある。そして、上記フロア膨出部９の一部を下方に凹入させることにより物品の収納部３３を形成したため、車体をコンパクト化することが特に望まれるツーシータタイプのスポーツカー等においても、上記助手席シート４の下方部に形成された空間部を有効に利用して物品の収納ペースを充分に確保することができる。
【００４０】
また、上記実施形態に示すように、前端部等を支点として揺動可能に支持された助手席シート４のシートクッション１８により、上記収納部３３の上面を開閉可能に覆うように構成した場合には、この収納部３３内に収納された物品等を上記シートクッション１８で隠蔽することができるため、優れた盗難予防機能が得られるという利点がある。そして、上記シートクッション１８を揺動変位させて上記収納部３３の上面を開放状態とすることにより、この収納部３３に対する物品の出し入れを容易に行うことができる。
【００４１】
特に、上記実施形態に示すように、シートレール８により前後移動可能に支持された運転席シート３の最後方部位に対応した位置において上記助手席シート４を固定するように構成した場合には、この助手席シート４およびその乗員からなる重量物を車両の中心寄りの位置に配設することにより、車両の運転性能を効果的に向上させることができる。また、上記助手席シート４の前方側に設けられるスペースを最大限に広くすることができるため、小柄な体格の乗員が助手席シート４に着座した場合は勿論のこと、大柄な体格の乗員が助手席シート４に着座した場合においても、その前方側に広いスペースを確保して良好な居住性が得られるという利点がある。
【００４２】
そして、上記実施形態に示すように、助手席シート４の前方に位置するカウル部材３７の下方であってダッシュパネル３５とインストルメントパネル１７との間に、ブロアおよび熱交換器等を有する空調ユニット３８を配設した場合には、運転席シート３の前方および車幅方向中央部に空調ユニットを配設するためのスペースを確保する必要がなく、当該部分の有効利用を図ることができる。また、上記のように助手席シート４の前方側部位に空調ユニット３８を配設した場合には、上記インストルメントパネル１７にグローブボックスからなる物品収納部を設けることが困難であるが、上記助手席シート４の下方に物品等の収納部３３を設けることにより、物品等の収納スペースを確保できるという利点がある。
【００４３】
さらに、上記空調ユニット３８を助手席シート４の前方部位に設置することによりスペース的に余裕がある上記インストルメントパネル１７の車幅方向中央部を前方側に凹入させて凹入部４３を形成するとともに、上記トンネル部６の上面であってステアリングホイール１６の近傍位置、つまりインストルメントパネル１７の後端面に近接した位置にシフトレバー４２等からなる車両用操作部材を設置することが可能である。
【００４４】
上記のようにインストルメントパネル１７の車幅方向中央部に凹入部４３を形成した場合には、上記車両用操作部材の操作性を損なうことなく、これをインストルメントパネル１７の後端面に近接した車室の前方位置に配設することができる。したがって、上記ステアリングホイール１６を把持した運転者が、シフトレバー４２等からなる車両用操作部材を迅速かつ適正に操作できるように、上記ステアリングホイール１６の側方位置にシフトレバー４２を設置できるという利点がある。
【００４５】
なお、上記フロア膨出部９の一部を下方に凹入させることにより物品の収納部３３を形成してなる上記実施形態に代え、上記助手席シート４が設置されるフロア膨出部９の下方に、エンジンの排気系部材、具体的には排気通路等からなる車両用補機を配設することにより、上記フロア膨出部９の下方部を上記排気系部材の収納部として利用するように構成してもよい。このように構成した場合には、上記助手席シート４の下方部に形成された空間部を有効に利用して上記排気通路等を適正に配管できるという利点がある。
【００４６】
また、図６および図７に示すように、上記フロア膨出部９の下方に、エンジンの排気通路４４を通る排気の一部を一時的に貯留する排気貯留部４５を設けるとともに、この排気貯留部４５に対する排気の導入を規制するシャッターバルブ４６とを設け、上記排気貯留部４５を、助手席シート４に着座した乗員の暖房用具として利用するように構成してもよい。すなわち、暖房が必要な冬季等においては、図６の実線で示すように、上記シャッターバルブ４６を開放位置に変位させて排気貯留部４５内に排気を導入することにより、その熱を有効に利用して助手席シート４を下方から効果的に暖房することができる。一方、暖房が不要な夏期等には、図６の破線で示すように、上記シャッターバルブ４６を閉止位置に変位させて排気貯留部４５に対する排気の導入を停止することにより、その熱影響が助手席シート４に及ぶのを防ぐことができる。
【００４７】
さらに、図８に示すように、エンジンの排気通路４４に設けられた排気浄化触媒４７を上記助手席シート４の下方に配設した構造としてもよく、この場合には、上記フロア膨出部９の下方に形成された空間部を利用して大容量の排気浄化触媒４７を効率よく配置できるという利点がある。なお、上記のようにフロア膨出部９の下方に排気浄化触媒４７を配設した場合に、排気浄化触媒４７の上面を覆うように遮熱板を設置する等により、排気浄化触媒４７の熱影響が夏期等に助手席シート４に及ぶのを防止することが望ましい。
【００４８】
また、図９に示すように、取付具４８を介して車載バッテリ４９からなる車両用部材の設置部を設けた構造としてもよく、この場合には、上記フロア膨出部９の下方に形成された空間部を利用して大容量または複数個の車載バッテリ４９を効果的に設置できる。なお、上記フロア膨出部９の下方に配設される車両用部材としては、上記車載バッテリ４９以外にも、電気自動車等において使用される電力貯蔵用キャパシタ、またはハイブリッド車両においてその動力源用主電池の高電圧を低電圧に変換して補機電池を充電するＤＣ−ＤＣコンバータからなるハイブリッド車両用コンバータ等が考えられる。
【００４９】
また、上記実施形態では、車室１内のフロアパネル２上に運転席シート３および助手席シート４だけが設置されたツーシータタイプで、ルーフパネルおよびこれを支持するピラーのないオープンカーに本発明を適用した例について説明したが、これに限られず、後列シートを備えた車両についても本発明を適用可能である。
【符号の説明】
【００５０】
１  車室
２  フロアパネル
３  運転席シート
４  助手席シート
８  シートレール
９  フロア膨出部
１８  シートクッション
３３  物品の収納部
４４  排気通路（排気系部材）
４５  排気貯留部（暖房用具）
４７  排気浄化触媒
４９  車載バッテリ（車両用補機）
【図１】
2011143783.tif 000003
【図２】
2011143783.tif 000004
【図３】
2011143783.tif 000005
【図４】
2011143783.tif 000006
【図５】
2011143783.tif 000007
【図６】
2011143783.tif 000008
【図７】
2011143783.tif 000009
【図８】
2011143783.tif 000010
【図９】
2011143783.tif 000011